【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、前記ＵＥによって１つまたは複数のアップリンク制御信号を送信するための複数のアップリンク制御チャネルの構成を受信することと、
前記ＵＥによって、前記構成に基づいて前記複数のアップリンク制御チャネルを生成することと、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、ここにおいて、前記構成は、前記複数のノード内の各ノードのための１つのアップリンクコンポーネントキャリアをプライマリコンポーネントキャリア（ＰＣＣ）として指定する、
前記ＵＥによって、前記複数のアップリンク制御チャネルの各々を前記複数のノードのうちの前記対応する１つのノードに送信することとを備える、ワイヤレス通信の方法。
【請求項２】
前記ＵＥは、複数のコンポーネントキャリア（ＣＣ）上で同時のアップリンク送信が可能であり、前記複数のＣＣは前記複数のノードよりも多く、前記複数のアップリンク制御チャネルを前記生成することは、
前記複数のノードのうちの単一のノードのための共通のアップリンク制御チャネルを生成することを含み、前記ＵＥは、前記複数のＣＣのうちの２つ以上のＣＣを介して前記単一のノードと通信し、
前記送信することは、
前記２つ以上のＣＣのうちの１つを介して前記共通のアップリンク制御チャネルを前記単一のノードに送信することを含み、前記２つ以上のＣＣのうちの前記１つは、前記構成において前記ＵＥに識別され、
前記単一のノードは低電力発展型ノードＢ（ｅＮＢ）であり、前記複数のノードのうちの他のノードは、前記複数のＣＣのうちの２つ以上の追加のＣＣを介して前記ＵＥと通信するマクロｅＮＢであり、前記複数のアップリンク制御チャネルを前記生成することはさらに、
前記マクロｅＮＢのためのマクロ共通アップリンク制御チャネルを生成することを含み、
前記送信することはさらに、
前記２つ以上の追加のＣＣのマクロプライマリセル（Ｐセル）を介して前記マクロ共通アップリンク制御チャネルを前記マクロｅＮＢに送信することを含み、前記Ｐセルは、前記構成において前記ＵＥに識別され、前記共通のアップリンク制御チャネルがそれを通じて送信される前記２つ以上のＣＣのうちの１つは、低電力Ｐセルである、請求項１に記載の方法。
【請求項３】
前記ＵＥが前記複数のノードのうちの第１のノードとそれを通じて通信する１つまたは複数のＣＣは、前記ＵＥが前記複数のノードのうちの第２のノードとそれを通じて通信する１つまたは複数の追加のＣＣとは異なるタイミング調整グループ（ＴＡＧ）にある、請求項１に記載の方法。
【請求項４】
前記ＵＥは、１つまたは複数のＣＣを介して前記複数のノードのうちの第１のノードと通信し、前記ＵＥは、１つまたは複数の追加のＣＣを介して前記複数のノードのうちの第２のノードと通信し、
前記１つまたは複数のＣＣが１つのＣＣを備え、前記１つまたは複数の追加のＣＣが１つの追加のＣＣを備えるときには、前記１つのＣＣは前記１つの追加のＣＣとは異なるＴＡＧにあり、
前記１つまたは複数のＣＣが少なくとも２つのＣＣを備えるときには、前記少なくとも２つのＣＣの各々は同じＴＡＧまたは異なるＴＡＧのうちの一方にある、請求項１に記載の方法。
【請求項５】
前記ＵＥは、複数のＣＣについてシングルアップリンク送信可能であり、前記生成することは、
シングルアップリンク制御チャネルを生成することを含み、前記構成は、
時分割多重化、ここにおいて、前記構成は、前記シングルアップリンク制御チャネルが多重化される時分割多重化パターンを指定する、または
周波数分割多重化、ここにおいて、前記構成は、前記シングルアップリンク制御チャネルが多重化される複数の周波数リソースを指定する、
のうちの１つを用いて前記シングルアップリンク制御チャネルの生成を指定し、
前記送信することは、
時分割多重化または周波数分割多重化のうちの１つに従って前記シングルアップリンク制御チャネルを送信することを含む、請求項１に記載の方法。
【請求項６】
前記シングルアップリンク制御チャネルは、時分割多重化を用いて生成され、前記方法はさらに、
前記複数のノードからのマルチフロー通信に応答して、集約窓内の２つ以上の肯定応答（ＡＣＫ）／否定応答（ＮＡＫ）信号を前記シングルアップリンク制御チャネルへと集約することを備え、前記集約窓のサイズは前記時分割多重化パターンに基づいて決定される、請求項５に記載の方法。
【請求項７】
前記シングルアップリンク制御チャネルは周波数分割多重化を用いて生成され、前記方法はさらに、
前記ＵＥにおいて、前記シングルアップリンク制御チャネルが多重化される複数の周波数リソースの各々について異なる送信機電力制御信号を受信することを備える、請求項５に記載の方法。
【請求項８】
前記構成は、前記複数のノードのうちの１つが前記複数のノードのうちの他のノードとは異なるタイミング調整グループ（ＴＡＧ）にあることを示し、前記生成することは、
時分割多重化を用いて前記複数のアップリンク制御チャネルのうちの１つのアップリンク制御チャネルを生成することを含む、請求項５に記載の方法。
【請求項９】
前記複数のノードのうちの前記１つのノードは前記複数のノードのうちの他のノードと同じＴＡＧにある、請求項５に記載の方法。
【請求項１０】
前記複数の制御チャネルを送信することは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを備える、請求項１に記載の方法。
【請求項１１】
前記ＵＥとマルチフロー通信する第１のノードに対して指定されるＰＣＣは、前記ＵＥとマルチフロー通信する第２のノードに対して指定されるＰＣＣとは異なるタイミングアドバンスグループ（ＴＡＧ）に属する、請求項１に記載の方法。
【請求項１２】
前記複数のノードは、第１のノードがマクロノードであり、第２のノードがフェムトノード、ピコノードまたはホームｅＮＢのうちの１つであるような、異なる電力クラスのノードを備える、請求項１１に記載の方法。
【請求項１３】
前記構成は、前記複数のノードにおける少なくとも１つのノードのコンポーネントキャリアに対するキャリアアグリゲーション構成を備える、請求項１１に記載の方法。
【請求項１４】
ワイヤレス通信のために構成された装置であって、
ユーザ機器（ＵＥ）において、前記ＵＥによって１つまたは複数のアップリンク制御信号を送信するための複数のアップリンク制御チャネルの構成を受信するための手段と、
前記ＵＥによって、前記構成に基づいて前記複数のアップリンク制御チャネルを生成するための手段と、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、ここにおいて、前記構成は、前記複数のノード内の各ノードのための１つのアップリンクコンポーネントキャリアをプライマリコンポーネントキャリア（ＰＣＣ）として指定する、
前記ＵＥによって、前記複数のアップリンク制御チャネルの各々を前記複数のノードのうちの前記対応する１つのノードに送信するための手段とを備える、ワイヤレス通信のために構成された装置。
【請求項１５】
実行されたときに請求項１〜請求項１３のいずれか一項に記載の方法を少なくとも１つのコンピュータに実施させる実行可能命令を備えたコンピュータプログラム。
【手続補正２】
【補正対象書類名】明細書
【補正対象項目名】０１００
【補正方法】変更
【補正の内容】
【０１００】
[00114]本開示についての以上の説明は、いかなる当業者も本開示を作成または使用することができるようにするために提供される。本開示への種々の修正は当業者には容易に明らかとなり、本明細書で規定された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に、出願当初の特許請求の範囲に記載された発明を付記する。
［Ｃ１］
ワイヤレス通信の方法であって、
ユーザ機器（ＵＥ）において、前記ＵＥによって１つまたは複数のアップリンク制御信号を送信するための複数のアップリンク制御チャネルの構成を受信することと、
前記ＵＥによって、前記構成に基づいて前記複数のアップリンク制御チャネルを生成することと、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、
前記ＵＥによって、前記複数のアップリンク制御チャネルの各々を前記複数のノードのうちの前記対応する１つのノードに送信することとを含む、ワイヤレス通信の方法。
［Ｃ２］
前記ＵＥは、複数のコンポーネントキャリア（ＣＣ）上で同時のアップリンク送信が可能であり、前記複数のＣＣは前記複数のノードよりも多く、前記複数のアップリンク制御チャネルを前記生成することは、
前記複数のノードのうちの単一のノードのための共通のアップリンク制御チャネルを生成することを含み、前記ＵＥは、前記複数のＣＣのうちの２つ以上のＣＣを介して前記単一のノードと通信し、
前記送信することは、
前記２つ以上のＣＣのうちの１つを介して前記共通のアップリンク制御チャネルを前記単一のノードに送信することを含み、前記２つ以上のＣＣのうちの前記１つは、前記構成において前記ＵＥに識別される、上記Ｃ１に記載の方法。
［Ｃ３］
前記単一のノードは低電力発展型ノードＢ（ｅＮＢ）であり、前記複数のノードのうちの他のノードは、前記複数のＣＣのうちの２つ以上の追加のＣＣを介して前記ＵＥと通信するマクロｅＮＢであり、前記複数のアップリンク制御チャネルを前記生成することはさらに、
前記マクロｅＮＢのためのマクロ共通アップリンク制御チャネルを生成することを含み、
前記送信することはさらに、
前記２つ以上の追加のＣＣのマクロプライマリセル（Ｐセル）を介して前記マクロ共通アップリンク制御チャネルを前記マクロｅＮＢに送信することを含み、前記Ｐセルは、前記構成において前記ＵＥに識別され、前記共通のアップリンク制御チャネルがそれを通じて送信される前記２つ以上のＣＣのうちの１つは、低電力Ｐセルである、上記Ｃ２に記載の方法。
［Ｃ４］
前記ＵＥが前記複数のノードのうちの第１のノードとそれを通じて通信する１つまたは複数のＣＣは、前記ＵＥが前記複数のノードのうちの第２のノードとそれを通じて通信する１つまたは複数の追加のＣＣとは異なるタイミング調整グループ（ＴＡＧ）にある、上記Ｃ１に記載の方法。
［Ｃ５］
前記ＵＥは、１つまたは複数のＣＣを介して前記複数のノードのうちの第１のノードと通信し、前記ＵＥは、１つまたは複数の追加のＣＣを介して前記複数のノードのうちの第２のノードと通信し、
前記１つまたは複数のＣＣが１つのＣＣを含み、前記１つまたは複数の追加のＣＣが１つの追加のＣＣを含むとき、前記１つのＣＣは前記１つの追加のＣＣとは異なるＴＡＧにあり、
前記１つまたは複数のＣＣが少なくとも２つのＣＣを含むとき、前記少なくとも２つのＣＣの各々は同じＴＡＧまたは異なるＴＡＧのうちの一方にある、上記Ｃ１に記載の方法。
［Ｃ６］
前記ＵＥは、複数のＣＣについてシングルアップリンク送信可能であり、前記生成することは、
シングルアップリンク制御チャネルを生成することを含み、前記構成は、
時分割多重化、ここにおいて、前記構成は、前記シングルアップリンク制御チャネルが多重化される時分割多重化パターンを指定する、または
周波数分割多重化、ここにおいて、前記構成は、前記シングルアップリンク制御チャネルが多重化される複数の周波数リソースを指定する、
のうちの１つを用いて前記シングルアップリンク制御チャネルの生成を指定し、
前記送信することは、
時分割多重化または周波数分割多重化のうちの１つに従って前記シングルアップリンク制御チャネルを送信することを含む、上記Ｃ１に記載の方法。
［Ｃ７］
前記シングルアップリンク制御チャネルは、時分割多重化を用いて生成され、前記方法はさらに、
前記複数のノードからのマルチフロー通信に応答して、集約窓内の２つ以上の肯定応答（ＡＣＫ）／否定応答（ＮＡＫ）信号を前記シングルアップリンク制御チャネルへと集約することを含み、前記集約窓のサイズは前記時分割多重化パターンに基づいて決定される、上記Ｃ６に記載の方法。
［Ｃ８］
前記シングルアップリンク制御チャネルは周波数分割多重化を用いて生成され、前記方法はさらに、
前記ＵＥにおいて、前記シングルアップリンク制御チャネルが多重化される複数の周波数リソースの各々について異なる送信機電力制御信号を受信することを含む、上記Ｃ６に記載の方法。
［Ｃ９］
前記構成は、前記複数のノードのうちの１つが前記複数のノードのうちの他のノードとは異なるタイミング調整グループ（ＴＡＧ）にあることを示し、前記生成することは、
時分割多重化を用いて前記複数のアップリンク制御チャネルのうちの１つのアップリンク制御チャネルを生成することを含む、上記Ｃ６に記載の方法。
［Ｃ１０］
前記複数のノードのうちの前記１つのノードは前記複数のノードのうちの他のノードと同じＴＡＧにある、上記Ｃ６に記載の方法。
［Ｃ１１］
前記構成は、無線リソース制御（ＲＲＣ）メッセージを介して受信される、上記Ｃ１に記載の方法。
［Ｃ１２］
前記構成は、前記複数のノード内の各ノードのための１つのアップリンクコンポーネントキャリアをプライマリコンポーネントキャリア（ＰＣＣ）として指定する、上記Ｃ１に記載の方法。
［Ｃ１３］
前記複数の制御チャネルを送信することは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを含む、上記Ｃ１２に記載の方法。
［Ｃ１４］
前記ＵＥとマルチフロー通信する第１のノードに対して指定されるＰＣＣは、前記ＵＥとマルチフロー通信する第２のノードに対して指定されるＰＣＣとは異なるタイミングアドバンスグループ（ＴＡＧ）に属する、上記Ｃ１２に記載の方法。
［Ｃ１５］
前記複数のノードは、第１のノードがマクロノードであり、第２のノードがフェムトノード、ピコノードまたはホームｅＮＢのうちの１つであるような、異なる電力クラスのノードを含む、上記Ｃ１４に記載の方法。
［Ｃ１６］
前記構成は、前記複数のノードにおける少なくとも１つのノードのコンポーネントキャリアに対するキャリアアグリゲーション構成を含む、上記Ｃ１４に記載の方法。
［Ｃ１７］
ワイヤレス通信のために構成された装置であって、
ユーザ機器（ＵＥ）において、前記ＵＥによって１つまたは複数のアップリンク制御信号を送信するための複数のアップリンク制御チャネルの構成を受信するための手段と、
前記ＵＥによって、前記構成に基づいて前記複数のアップリンク制御チャネルを生成するための手段と、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、
前記ＵＥによって、前記複数のアップリンク制御チャネルの各々を前記複数のノードのうちの前記対応する１つのノードに送信するための手段とを含む、ワイヤレス通信のために構成された装置。
［Ｃ１８］
前記ＵＥは、複数のコンポーネントキャリア（ＣＣ）上で同時のアップリンク送信が可能であり、前記複数のＣＣは前記複数のノードよりも多く、前記複数のアップリンク制御チャネルを生成するための前記手段は、
前記複数のノードのうちの単一のノードのための共通のアップリンク制御チャネルを生成するための手段を含み、前記ＵＥは、前記複数のＣＣのうちの２つ以上のＣＣを介して前記単一のノードと通信し、
送信するための前記手段は、
前記２つ以上のＣＣのうちの１つを介して前記共通のアップリンク制御チャネルを前記単一のノードに送信するための手段を含み、前記２つ以上のＣＣのうちの前記１つは、前記構成において前記ＵＥに識別される、上記Ｃ１７に記載の装置。
［Ｃ１９］
前記単一のノードは低電力発展型ノードＢ（ｅＮＢ）であり、前記複数のノードのうちの他のノードは、前記複数のＣＣのうちの２つ以上の追加のＣＣを介して前記ＵＥと通信するマクロｅＮＢであり、前記複数のアップリンク制御チャネルを生成する前記手段はさらに、
前記マクロｅＮＢのためのマクロ共通アップリンク制御チャネルを生成するための手段を含み、
送信するための前記手段はさらに、
前記２つ以上の追加のＣＣのマクロプライマリセル（Ｐセル）を介して前記マクロ共通アップリンク制御チャネルを前記マクロｅＮＢに送信するための手段を含み、前記Ｐセルは、前記構成において前記ＵＥに識別され、共通アップリンク制御チャネルがそれを通じて送信される前記２つ以上のＣＣのうちの１つは、低電力Ｐセルである、上記Ｃ１８に記載の装置。
［Ｃ２０］
前記ＵＥが前記複数のノードのうちの第１のノードとそれを通じて通信する１つまたは複数のＣＣは、前記ＵＥが前記複数のノードのうちの第２のノードとそれを通じて通信する１つまたは複数の追加のＣＣとは異なるタイミング調整グループ（ＴＡＧ）にある、上記Ｃ１７に記載の装置。
［Ｃ２１］
前記ＵＥは、１つまたは複数のＣＣを介して前記複数のノードのうちの第１のノードと通信し、前記ＵＥは、１つまたは複数の追加のＣＣを介して前記複数のノードのうちの第２のノードと通信し、
前記１つまたは複数のＣＣが１つのＣＣを含み、前記１つまたは複数の追加のＣＣが１つの追加のＣＣを含むとき、前記１つのＣＣは前記１つの追加のＣＣとは異なるＴＡＧにあり、
前記１つまたは複数のＣＣが少なくとも２つのＣＣを含むとき、前記少なくとも２つのＣＣの各々は同じＴＡＧまたは異なるＴＡＧのうちの一方にある、上記Ｃ１７に記載の装置。
［Ｃ２２］
前記ＵＥは、複数のＣＣについてシングルアップリンク送信可能であり、生成するための前記手段は、
シングルアップリンク制御チャネルを生成するための手段を含み、前記構成は、
時分割多重化、ここにおいて、前記構成は、前記シングルアップリンク制御チャネルが多重化される時分割多重化パターンを指定する、または
周波数分割多重化、ここにおいて、前記構成は、前記シングルアップリンク制御チャネルが多重化される複数の周波数リソースを指定する、
のうちの１つを用いて前記シングルアップリンク制御チャネルの生成を指定し、
送信するための前記手段は、
時分割多重化または周波数分割多重化のうちの１つに従って前記シングルアップリンク制御チャネルを送信するための手段を含む、上記Ｃ１７に記載の装置。
［Ｃ２３］
前記シングルアップリンク制御チャネルは、時分割多重化を用いて生成され、前記装置はさらに、
前記複数のノードからのマルチフロー通信に応答して、集約窓内の２つ以上の肯定応答（ＡＣＫ）／否定応答（ＮＡＫ）信号を前記シングルアップリンク制御チャネルへと集約するための手段を含み、前記集約窓のサイズは前記時分割多重化パターンに基づいて決定される、上記Ｃ２２に記載の装置。
［Ｃ２４］
前記シングルアップリンク制御チャネルは周波数分割多重化を用いて生成され、前記装置はさらに、
前記ＵＥにおいて、前記シングルアップリンク制御チャネルが多重化される前記複数の周波数リソースの各々について異なる送信機電力制御信号を受信するための手段を含む、上記Ｃ２２に記載の装置。
［Ｃ２５］
前記構成は、前記複数のノードのうちの１つが前記複数のノードのうちの他のノードとは異なるタイミング調整グループにあることを示し、生成するための前記手段は、
時分割多重化を用いて前記複数のアップリンク制御チャネルのうちの１つのアップリンク制御チャネルを生成するための手段を含む、上記Ｃ２２に記載の装置。
［Ｃ２６］
前記複数のノードのうちの前記１つのノードは前記複数のノードのうちの他のノードと同じＴＡＧにある、上記Ｃ２２に記載の装置。
［Ｃ２７］
前記構成は無線リソース制御（ＲＲＣ）メッセージを介して受信される、上記Ｃ１７に記載の装置。
［Ｃ２８］
前記構成は、前記複数のノード内の各ノードのための１つのアップリンクコンポーネントキャリアをプライマリコンポーネントキャリア（ＰＣＣ）として指定する、上記Ｃ１７に記載の装置。
［Ｃ２９］
前記複数の制御チャネルを送信するための手段は、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信するための手段を含む、上記Ｃ２８に記載の装置。
［Ｃ３０］
前記ＵＥとマルチフロー通信する第１のノードに対して指定されるＰＣＣは、前記ＵＥとマルチフロー通信する第２のノードに対して指定されるＰＣＣとは異なるタイミングアドバンスグループ（ＴＡＧ）に属する、上記Ｃ２８に記載の装置。
［Ｃ３１］
前記複数のノードは、第１のノードがマクロノードであり、第２のノードがフェムトノード、ピコノードまたはホームｅＮＢのうちの１つであるような、異なる電力クラスのノードを含む、上記Ｃ３０に記載の装置。
［Ｃ３２］
前記構成は、前記複数のノードのうちの少なくとも１つのノードのコンポーネントキャリアに対するキャリアアグリゲーション構成を含む、上記Ｃ３０に記載の装置。
［Ｃ３３］
ワイヤレスネットワークにおけるワイヤレス通信のためのコンピュータプログラム製品であって、
プログラムコードを記録した非一時的コンピュータ可読媒体を含み、前記プログラムコードは、
ユーザ機器（ＵＥ）において、前記ＵＥによって１つまたは複数のアップリンク制御信号を送信するための複数のアップリンク制御チャネルの構成を受信することを、コンピュータに実行させるためのプログラムコードと、
前記ＵＥによって、前記構成に基づいて前記複数のアップリンク制御チャネルを生成することを、前記コンピュータに実行させるためのプログラムコードと、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、
前記ＵＥによって、前記複数のアップリンク制御チャネルの各々を前記複数のノードのうちの前記対応する１つのノードに送信することを、前記コンピュータに実行させるためのプログラムコードとを含む、コンピュータプログラム製品。
［Ｃ３４］
前記ＵＥは、複数のコンポーネントキャリア（ＣＣ）上で同時のアップリンク送信が可能であり、前記複数のＣＣは前記複数のノードよりも多く、前記複数のアップリンク制御チャネルを生成することを前記コンピュータに実行させるための前記プログラムコードは、
前記複数のノードのうちの単一のノードのための共通のアップリンク制御チャネルを生成することを前記コンピュータに実行させるためのプログラムコードを含み、前記ＵＥは、前記複数のＣＣのうちの２つ以上のＣＣを介して前記単一のノードと通信し、
送信することを前記コンピュータに実行させるための前記プログラムコードは、
前記２つ以上のＣＣのうちの１つを介して前記共通のアップリンク制御チャネルを前記単一のノードに送信することを前記コンピュータに実行させるためのプログラムコードを含み、前記２つ以上のＣＣのうちの前記１つは、前記構成において前記ＵＥに識別される、上記Ｃ３３に記載のコンピュータプログラム製品。
［Ｃ３５］
前記単一のノードは低電力発展型ノードＢ（ｅＮＢ）であり、前記複数のノードのうちの他のノードは、前記複数のＣＣのうちの２つ以上の追加のＣＣを介して前記ＵＥと通信するマクロｅＮＢであり、前記複数のアップリンク制御チャネルを生成することを前記コンピュータに実行させるための前記プログラムコードはさらに、
前記マクロｅＮＢのためのマクロ共通アップリンク制御チャネルを生成することを前記コンピュータに実行させるためのプログラムコードを含み、
送信することを前記コンピュータに実行させるための前記プログラムコードはさらに、
前記２つ以上の追加のＣＣのマクロプライマリセル（Ｐセル）を介して前記マクロ共通アップリンク制御チャネルを前記マクロｅＮＢに送信することを、前記コンピュータに実行させるためのプログラムコードを含み、前記Ｐセルは、前記構成において前記ＵＥに識別され、共通アップリンク制御チャネルがそれを通じて送信される前記２つ以上のＣＣのうちの１つは、低電力Ｐセルである、上記Ｃ３４に記載のコンピュータプログラム製品。
［Ｃ３６］
前記ＵＥは、複数のＣＣについてシングルアップリンク送信可能であり、生成することを前記コンピュータに実行させるための前記プログラムコードは、
シングルアップリンク制御チャネルを生成することを前記コンピュータに実行させるためのプログラムコードを含み、前記構成は、
時分割多重化、ここにおいて、前記構成は、前記シングルアップリンク制御チャネルが多重化される時分割多重化パターンを指定する、または
周波数分割多重化、ここにおいて、前記構成は、前記シングルアップリンク制御チャネルが多重化される複数の周波数リソースを指定する、
のうちの１つを用いて前記シングルアップリンク制御チャネルの生成を指定し、
送信することを前記コンピュータに実行させるための前記プログラムコードは、
時分割多重化または周波数分割多重化のうちの１つに従って前記シングルアップリンク制御チャネルを送信することを前記コンピュータに実行させるためのプログラムコードを含む、上記Ｃ３３に記載のコンピュータプログラム製品。
［Ｃ３７］
前記シングルアップリンク制御チャネルは周波数分割多重化を用いて生成され、前記コンピュータプログラム製品はさらに、
前記ＵＥにおいて、前記シングルアップリンク制御チャネルが多重化される複数の周波数リソースの各々について異なる送信機電力制御信号を受信することを、前記コンピュータに実行させるためのプログラムコードを含む、上記Ｃ３６に記載のコンピュータプログラム製品。
［Ｃ３８］
前記構成は、前記複数のノードのうちの１つが前記複数のノードのうちの他のノードとは異なるタイミング調整グループにあることを示し、生成することを前記コンピュータに実行させるための前記プログラムコードは、
時分割多重化を用いて前記複数のアップリンク制御チャネルのうちの１つのアップリンク制御チャネルを生成することを、前記コンピュータに実行させるためのプログラムコードを含む、上記Ｃ３６に記載のコンピュータプログラム製品。
［Ｃ３９］
前記構成は、前記複数のノード内の各ノードのための１つのアップリンクコンポーネントキャリアをプライマリコンポーネントキャリア（ＰＣＣ）として指定する、上記Ｃ３３に記載のコンピュータプログラム製品。
［Ｃ４０］
前記複数の制御チャネルを送信することを前記コンピュータに実行させるための前記プログラムコードは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを、前記コンピュータに実行させるためのプログラムコードを含む、上記Ｃ３９に記載のコンピュータプログラム製品。
［Ｃ４１］
前記ＵＥとマルチフロー通信する第１のノードに対して指定されるＰＣＣは、前記ＵＥとマルチフロー通信する第２のノードに対して指定されるＰＣＣとは異なるタイミングアドバンスグループ（ＴＡＧ）に属する、上記Ｃ３９に記載のコンピュータプログラム製品。
［Ｃ４２］
前記複数のノードは、第１のノードがマクロノードであり、第２のノードがフェムトノード、ピコノードまたはホームｅＮＢのうちの１つであるような、異なる電力クラスのノードを含む、上記Ｃ４１に記載のコンピュータプログラム製品。
［Ｃ４３］
前記構成は、前記複数のノードのうちの少なくとも１つのノードのコンポーネントキャリアに対するキャリアアグリゲーション構成を含む、上記Ｃ４１に記載のコンピュータプログラム製品。
［Ｃ４４］
ワイヤレス通信のために構成された装置であって、
少なくとも１つのプロセッサと、
前記少なくとも１つのプロセッサに結合されたメモリとを備え、
前記少なくとも１つのプロセッサは、
ユーザ機器（ＵＥ）において、前記ＵＥによって１つまたは複数のアップリンク制御信号を送信するための複数のアップリンク制御チャネルの構成を受信することと、
前記ＵＥによって、前記構成に基づいて前記複数のアップリンク制御チャネルを生成することと、ここにおいて、前記複数のアップリンク制御チャネルの各々は、前記ＵＥとマルチフロー通信する複数のノードのうちの対応する１つのノードについて生成され、前記複数のノードの各々は互いにコロケートされていない、
前記ＵＥによって、前記複数のアップリンク制御チャネルの各々を前記複数のノードのうちの前記対応する１つのノードに送信することと、
を実行するように構成される、装置。
［Ｃ４５］
前記ＵＥは、複数のコンポーネントキャリア（ＣＣ）上で同時のアップリンク送信が可能であり、前記複数のＣＣは前記複数のノードよりも多く、前記少なくとも１つのプロセッサが前記複数のアップリンク制御チャネルを生成するための前記構成は、
前記少なくとも１つのプロセッサが、前記複数のノードのうちの単一のノードのための共通のアップリンク制御チャネルを生成するための構成を含み、前記ＵＥは、前記複数のＣＣのうちの２つ以上のＣＣを介して前記単一のノードと通信し、
前記少なくとも１つのプロセッサが送信するための前記構成は、
前記少なくとも１つのプロセッサが前記２つ以上のＣＣのうちの１つを介して前記共通のアップリンク制御チャネルを前記単一のノードに送信するための構成を含み、前記２つ以上のＣＣのうちの前記１つは、前記構成において前記ＵＥに識別される、上記Ｃ４４に記載の装置。
［Ｃ４６］
前記単一のノードは低電力発展型ノードＢ（ｅＮＢ）であり、前記複数のノードのうちの他のノードは、前記複数のＣＣのうちの２つ以上の追加のＣＣを介して前記ＵＥと通信するマクロｅＮＢであり、前記少なくとも１つのプロセッサが前記複数のアップリンク制御チャネルを生成するための前記構成はさらに、
前記少なくとも１つのプロセッサが前記マクロｅＮＢのためのマクロ共通アップリンク制御チャネルを生成するための構成を含み、
前記少なくとも１つのプロセッサが送信するための前記構成はさらに、
前記少なくとも１つのプロセッサが、前記２つ以上の追加のＣＣのマクロプライマリセル（Ｐセル）を介して前記マクロ共通アップリンク制御チャネルを前記マクロｅＮＢに送信するための構成を含み、前記Ｐセルは、前記構成において前記ＵＥに識別され、前記共通のアップリンク制御チャネルがそれを通じて送信される前記２つ以上のＣＣのうちの１つは、低電力Ｐセルである、上記Ｃ４５に記載の装置。
［Ｃ４７］
前記ＵＥが前記複数のノードのうちの第１のノードとそれを通じて通信する１つまたは複数のＣＣは、前記ＵＥが前記複数のノードのうちの第２のノードとそれを通じて通信する１つまたは複数の追加のＣＣとは異なるタイミング調整グループ（ＴＡＧ）にある、上記Ｃ４４に記載の装置。
［Ｃ４８］
前記ＵＥは、１つまたは複数のＣＣを介して前記複数のノードのうちの第１のノードと通信し、前記ＵＥは、１つまたは複数の追加のＣＣを介して前記複数のノードのうちの第２のノードと通信し、
前記１つまたは複数のＣＣが１つのＣＣを含み、前記１つまたは複数の追加のＣＣが１つの追加のＣＣを含むとき、前記１つのＣＣは前記１つの追加のＣＣとは異なるＴＡＧにあり、
前記１つまたは複数のＣＣが少なくとも２つのＣＣを含むとき、前記少なくとも２つのＣＣの各々は同じＴＡＧまたは異なるＴＡＧのうちの一方にある、上記Ｃ４４に記載の装置。
［Ｃ４９］
前記ＵＥは、複数のＣＣについてシングルアップリンク送信可能であり、前記少なくとも１つのプロセッサが生成するための前記構成は、
前記少なくとも１つのプロセッサが、前記複数のノードの各ノードのためのシングルアップリンク制御チャネルを生成するための構成を含み、前記構成は、
時分割多重化、ここにおいて、前記構成は、前記シングルアップリンク制御チャネルが多重化される時分割多重化パターンを指定する、または
周波数分割多重化、ここにおいて、前記構成は、前記シングルアップリンク制御チャネルが多重化される複数の周波数リソースを指定する、
のうちの１つを用いて前記シングルアップリンク制御チャネルの生成を指定し、
前記少なくとも１つのプロセッサが送信するための前記構成は、
前記少なくとも１つのプロセッサが、時分割多重化または周波数分割多重化のうちの１つに従って前記シングルアップリンク制御チャネルを送信するための構成を含む、上記Ｃ４４に記載の装置。
［Ｃ５０］
前記シングルアップリンク制御チャネルは、時分割多重化を用いて生成され、前記装置はさらに、
前記少なくとも１つのプロセッサが、前記複数のノードからのマルチフロー通信に応答して、集約窓内の２つ以上の肯定応答（ＡＣＫ）／否定応答（ＮＡＫ）信号を前記シングルアップリンク制御チャネルへと集約するための構成を含み、前記集約窓のサイズは前記時分割多重化パターンに基づいて決定される、上記Ｃ４９に記載の装置。
［Ｃ５１］
前記シングルアップリンク制御チャネルは周波数分割多重化を用いて生成され、前記装置はさらに、
前記少なくとも１つのプロセッサが、前記ＵＥにおいて、前記シングルアップリンク制御チャネルが多重化される複数の周波数リソースの各々について異なる送信機電力制御信号を受信するための構成を含む、上記Ｃ４９に記載の装置。
［Ｃ５２］
前記構成は、前記複数のノードのうちの１つが前記複数のノードのうちの他のノードとは異なるタイミング調整グループにあることを示し、前記少なくとも１つのプロセッサが生成するための前記構成は、
前記少なくとも１つのプロセッサが、時分割多重化を用いて前記複数のアップリンク制御チャネルのうちの１つのアップリンク制御チャネルを生成するための構成を含む、上記Ｃ４９に記載の装置。
［Ｃ５３］
前記複数のノードのうちの前記１つのノードは前記複数のノードのうちの他のノードと同じＴＡＧにある、上記Ｃ４９に記載の装置。
［Ｃ５４］
前記構成は無線リソース制御（ＲＲＣ）メッセージを介して受信される、上記Ｃ４４に記載の装置。
［Ｃ５５］
前記構成は、前記複数のノード内の各ノードのための１つのアップリンクコンポーネントキャリアをプライマリコンポーネントキャリア（ＰＣＣ）として指定する、上記Ｃ４４に記載のコンピュータプログラム製品。
［Ｃ５６］
前記複数の制御チャネルを送信することをコンピュータに実行させるためのプログラムコードは、前記複数のノードのうちの前記対応する１つのノードのためのＰＣＣとして指定されたアップリンクコンポーネントキャリア上で、前記複数のノードのうちの前記対応する１つのノードに関連付けられる制御情報を送信することを、コンピュータに実行させるためのプログラムコードを含む、上記Ｃ５５に記載のコンピュータプログラム製品。
［Ｃ５７］
前記ＵＥとマルチフロー通信する第１のノードに対して指定されるＰＣＣは、前記ＵＥとマルチフロー通信する第２のノードに対して指定されるＰＣＣとは異なるタイミングアドバンスグループ（ＴＡＧ）に属する、上記Ｃ５５に記載のコンピュータプログラム製品。
［Ｃ５８］
前記複数のノードは、第１のノードがマクロノードであり、第２のノードがフェムトノード、ピコノードまたはホームｅＮＢのうちの１つであるような、異なる電力クラスのノードを含む、上記Ｃ５７に記載のコンピュータプログラム製品。
［Ｃ５９］
前記構成は、前記複数のノードのうちの少なくとも１つのノードのコンポーネントキャリアに対するキャリアアグリゲーション構成を含む、上記Ｃ５７に記載のコンピュータプログラム製品。